(57)【特許請求の範囲】
【請求項１】
太陽電池が固定される支持具と、屋根のたる木等に固定される固定具と、前記支持具と前記固定具を連結する連結具と、前記支持具と前記固定具の両者に渡した筋交い形状の締付具であって、該締付具は前記支持具または前記固定具の一方に接合し他方に嵌合しかつ摺動することにより締付状態が調節可能なことを特徴とする太陽電池の固定装置。
【請求項２】
太陽電池が固定される支持具と、屋根のたる木等に固定される固定具と、前記支持具と前記固定具を連結する連結具と、前記支持具と前記固定具の両者に渡した筋交い形状の締付具であって、該締付具は前記支持具及び前記固定具の両方に接合して締付具自体が伸縮することにより締付状態が調節可能なことを特徴とする太陽電池の固定装置。
【発明の詳細な説明】
【０００１】
【発明の属する技術分野】
本発明は、太陽電池を屋根上に取付け固定させるための装置に関するものである。
【０００２】
【従来の技術】
従来からの太陽電池の固定装置としては実公平６−４９７１０に太陽電池モジュールの固定金具として開示されたものがある。
【０００３】
【発明が解決しようとする課題】
しかしながら、前記従来の太陽電池の固定装置は以下の課題を有していた。
ａ．屋根に太陽電池を押しつけて固定するにはナット３３を締め込むことで可能と考案の実施例にあるが考案の形状であればナットを締付けるだけでは十分な押圧力を得ることは難しく、実際製品で販売されている前記考案では屋根に十分に押し当てるためにアングルジグなる特殊工具を使用して屋根に十分押し当て保持強度を増すよう施行するようにということが工事説明書に書いてあることからも、簡単に十分な保持強度を持って屋根に押し当てる性能を持たせるためには特殊工具が必要となるということで施工性に欠けていた。
【０００４】
ｂ．また、前記のようなアングルジグなる特殊工具を別に必要とするため設備投資が必要となり経済性に欠ける。
【０００５】
本発明は上記従来の課題を解決するもので、簡単に十分な保持強度が得られ施工性及び経済性に優れた太陽電池の固定装置の提供を目的とする。
【０００６】
【課題を解決するための手段】
本発明の請求項１及び請求項２に記載の太陽電池の固定装置は、太陽電池が固定された支持具と、屋根のたる木等に固定された固定具と、前記支持具と前記固定具を連結する連結具と、前記支持具と前記固定具の両者に渡した筋交い形状の締付具であって、該締付具は前記支持具または前記固定具の一方に接合し他方に嵌合しかつ摺動することにより締付状態が調節可能、または前記支持具と前記固定具の両者に渡した筋交い形状の締付具であって、該締付具は前記支持具及び前記固定具の両方に接合して締付具自体が伸縮することにより締付状態が調節可能な筋交い形状の締付具なので、前記支持具と前記固定具との連結具を中心とする角度を調整するために、特殊工具を使用することなく、締め付けるだけで容易にかつ強固に取り付けることを可能とした。
【０００７】
【発明の実施の形態】
本発明における太陽電池の固定装置の実施の形態について、以下図面を用いて説明する。
図１は請求項１の実施の形態における太陽電池の固定装置の構成図であり、図２は請求項２の実施の形態における太陽電池の固定装置の構成図である。
【０００８】
図１の太陽電池の固定装置の構成図中、１は太陽電池の固定装置、２は太陽電池、３は該太陽電池２の支持具で略棒状のものに短冊状の板を取り付けた形状で、一端をねじ等により太陽電池２のケースと接続し、他端を後述の連結具で係止する。４は屋根、５は該屋根４の軒先、６は前記屋根４の下部にあるたる木、７は該たる木６の先端を覆う鼻隠し板、８は前記たる木６または前記鼻隠し板７に固定される固定具、９は前記支持具３と前記固定具８の太陽電池２及び鼻隠し板７でない方の側の先端を連結する連結具、１０は前記支持具３と前記固定具８とを筋交い形状で締め付ける締付具である。
前記支持具３には前記締付具１０の一端を前記連結具９の方向に動かないように支持具３の径より大きくした規制部３ａがあり、前記締付具１０の一端には支持具３の径よりわずかに大きい穴が開けてあることにより前記規制部３ａより前記連結具９側には摺動できない状態で接合される。このとき前記締付具１０の一端の穴を鉤状の切り欠きとすれば着脱自在となり施工性が向上する。
前記固定具８は前記たる木６または前記鼻隠し板７に一端を固定するために一端側に前記鼻隠し板７等に接する平面部を持ち、前記平面部には前記鼻隠し板７等に釘や木ねじ等で固定できるように複数の穴を開けてある。前記平面部は前記固定具８と一体とせず、別部品として回転及び挿抜自在に固定する形状としても良い。前記固定具は平面部を除き棒状で、略「し」の字状に湾曲して屋根４の軒先５や軒先５にある雨樋を避けることができる形状となっている。また、前記固定具８の他端には雄ねじ加工が一定長さほどこしてある雄ねじ部８ａがあり、該雄ねじ部８ａにはナットＡ１１で内側に摺動しないように規制された状態で嵌合した連結具９と、ナットＢ１２及びナットＣ１３で締付具１０の他端が嵌合して取り付けてある。前記ナットＢ１２及び前記ナットＣ１３を回転させると締付具１０が摺動することにより、前記支持具３は連結具９を支点として前記固定具８に引き寄せ締め付けることが可能となっている。このとき、屋根４が瓦等の平坦でない建材の場合屋根４に局部的な荷重が掛かることを防ぐために、屋根４と太陽電池２の間に板ゴム等の緩衝材１７を取り付ける。
次に連結具９と固定具３の接続方法は、固定具３の先端の係止部３ｂが連結具９の係止穴９ａに嵌合することで連結している。
【０００９】
図２において図１と同様なものは同じ番号を付けて説明を省略する。２１は太陽電池の固定装置で、２２は支持具３及び固定具８に両端が接合されている締付具である。締付具２２は三つの部品から構成されており、前記支持具３及び前記固定具８の固定部の反対側に一定間隔右ねじと左ねじの雄ねじ加工が施された２本の雄ねじ棒１４及び１５と、両端に右ねじと左ねじの雌ねじ加工が施され雌ねじの中心は一直線である雌ねじ棒１６よりなっており、前記雌ねじ棒１６を回転させると雄ねじ棒１４及び１５が雌ねじ棒１６に引き込まれる一般にターンバックルとよばれる締付具２２を使用することにより前記支持具３は前記連結具９を支点として前記固定具８に引き寄せ締め付けることが可能となっている。
通常前記太陽電池２の１枚に対して左右両側面に支持具３を固定することで、支持具３、固定具８、連結具９及び締付具１０及び２２等の２個ずつを１組として屋根４に取り付ける。
【００１０】
以上のように実施の形態において太陽電池の固定装置は構成されているので以下の作用を有する。
ａ．ナットを回転させるにはモンキーレンチやスパナ等、また締付具が雌ねじ棒の場合であればマイナスドライバー等と通常の施工者が一般に所有していると考えられる汎用工具で工事ができる。
ｂ．締付具は連結具を支点として支持具及び固定具に対して大きな作用力を与えることができるので、特殊工具を使用せずに簡単に屋根に太陽電池を押しつけて強固な保持力を発生することができる。
【００１１】
【発明の効果】
本発明により、汎用工具で簡単強固に屋根に取り付けることができるものである。
【図面の簡単な説明】
【図１】本発明の太陽電池の固定装置の構成図である。
【図２】本発明の太陽電池の固定装置における別の実施例の構成図である。
【符号の説明】
１、２１  太陽電池の固定装置
２  太陽電池
３  支持具
３ａ  規制部
３ｂ  係止部
４  屋根
５  軒先
６  たる木
７  鼻隠し板
８  固定具
８ａ  雄ねじ部
９  連結具
９ａ  係止穴
１０、２２  締付具
１１  ナットＡ
１２  ナットＢ
１３  ナットＣ
１４、１５  雄ねじ棒
１６  雌ねじ棒
１７  緩衝材
0004051154.tif 000002